(57)【要約】      （修正有）【課題】複数の容器を安定して搬送することが可能なパレット及び容器群付パレットを提供する。【解決手段】容器群付パレットは、容器嵌合部１８に嵌合した容器３０がパレット側抜止係合部２７と容器側抜止係合部との係合により抜け止めされるので、パレット１１が傾いたり衝撃を受けても容器３０が容器嵌合部１８から外れることがなくなり、複数の容器３０を安定して搬送することができる。また、フォークリフトにより複数の容器３０ごとパレット１１を反転させて、複数の容器３０内の収容物を一度に排出することもできる。【選択図】図２
2018154339.tif 000002
【特許請求の範囲】
【請求項１】
デッキ面に形成されて、複数の容器の下端部が嵌合される複数の容器嵌合部と、
前記容器嵌合部に設けられ、前記容器の下端部に係合して前記容器を前記容器嵌合部に抜け止めするパレット側抜止係合部とを備えるパレット。
【請求項２】
請求項１に記載のパレットと、
前記複数の容器嵌合部に下端部が嵌合しかつ、前記パレット側抜止係合部と係合する容器側抜止係合部を有する複数の容器とを備え、
前記複数の容器嵌合部は、それら容器嵌合部に抜け止めされて隣り合う前記容器同士が互いに隣接又は当接するように配置されている容器群付パレット。
【請求項３】
前記容器側抜止係合部及び前記パレット側抜止係合部は、前記容器嵌合部に嵌合した前記容器を第１位置から第２位置に回転させると互いに係合して前記容器を前記容器嵌合部に抜け止めするように構成され、
前記容器及び前記容器嵌合部には、互いに係合して前記容器を前記第２位置に係止する回止係止部が備えられている請求項２に記載の容器群付パレット。
【請求項４】
前記容器の周方向の複数位置に配置されて、上下方向と平行な垂直面を有する複数の側面突部を備え、前記第２位置に位置した状態で隣り合う前記容器の前記垂直面同士が隣接又は当接する請求項３に記載の容器群付パレット。
【請求項５】
前記パレット側抜止係合部及び前記容器側抜止係合部の少なくとも一方に弾性変形部が備えられ、
前記容器が前記容器嵌合部に嵌合される過程で前記弾性変形部が弾性変形してから弾性復帰して前記パレット側抜止係合部と前記容器側抜止係合部とが係合し、前記容器が前記容器嵌合部に抜け止めされる請求項２に記載の容器群付パレット。
【請求項６】
前記容器の周方向の複数位置に設けられて、上下方向と平行な垂直面を有する複数の側面突部と、
前記容器の下端部の側面から突出する回止突部と、
前記容器嵌合部に設けられ、前記回止突部が係合する縦溝とを備え、
前記縦溝に前記回止突部が係合した状態で隣り合う前記容器の前記垂直面同士が隣接又は当接する請求項５に記載の容器群付パレット。
【発明の詳細な説明】
【技術分野】
【０００１】
本発明は、複数の容器の下端部が嵌合される複数の容器嵌合部をデッキ面に備えるパレット及び容器群付きパレットに関する。
【背景技術】
【０００２】
従来、この種のパレットとして、複数の容器（例えば、ドラム缶）の下端部が嵌合する複数の容器嵌合部を備えたものが知られている（例えば、特許文献１参照）。
【先行技術文献】
【特許文献】
【０００３】
【特許文献１】特開２００１−１３０５７１号公報（図１、図４）
【発明の概要】
【発明が解決しようとする課題】
【０００４】
しかしながら、上記した従来のパレットでは、搬送中の衝撃により容器が容器嵌合部から外れてパレットから落下する事態が生じ得た。
【０００５】
本発明は、上記事情に鑑みてなされたもので、複数の容器を安定して搬送することが可能なパレット及び容器群付パレットの提供を目的とする。
【課題を解決するための手段】
【０００６】
上記目的を達成するためになされた請求項１の発明は、デッキ面に形成されて、複数の容器の下端部が嵌合される複数の容器嵌合部と、前記容器嵌合部に設けられ、前記容器の下端部に係合して前記容器を前記容器嵌合部に抜け止めするパレット側抜止係合部とを備えるパレットである。
【０００７】
請求項２の発明は、請求項１に記載のパレットと、前記複数の容器嵌合部に下端部が嵌合しかつ、前記パレット側抜止係合部と係合する容器側抜止係合部を有する複数の容器とを備え、前記複数の容器嵌合部は、それら容器嵌合部に抜け止めされて隣り合う前記容器同士が互いに隣接又は当接するように配置されている容器群付パレットである。
【０００８】
請求項３の発明は、前記容器側抜止係合部及び前記パレット側抜止係合部は、前記容器嵌合部に嵌合した前記容器を第１位置から第２位置に回転させると互いに係合して前記容器を前記容器嵌合部に抜け止めするように構成され、前記容器及び前記容器嵌合部には、互いに係合して前記容器を前記第２位置に係止する回止係止部が備えられている請求項２に記載の容器群付パレットである。
【０００９】
請求項４の発明は、前記容器の周方向の複数位置に配置されて、上下方向と平行な垂直面を有する複数の側面突部を備え、前記第２位置に位置した状態で隣り合う前記容器の前記垂直面同士が隣接又は当接する請求項３に記載の容器群付パレットである。
【００１０】
請求項５の発明は、前記パレット側抜止係合部及び前記容器側抜止係合部の少なくとも一方に弾性変形部が備えられ、前記容器が前記容器嵌合部に嵌合される過程で前記弾性変形部が弾性変形してから弾性復帰して前記パレット側抜止係合部と前記容器側抜止係合部とが係合し、前記容器が前記容器嵌合部に抜け止めされる請求項２に記載の容器群付パレットである。
【００１１】
請求項６の発明は、前記容器の周方向の複数位置に設けられて、上下方向と平行な垂直面を有する複数の側面突部と、前記容器の下端部の側面から突出する回止突部と、前記容器嵌合部に設けられ、前記回止突部が係合する縦溝とを備え、前記縦溝に前記回止突部が係合した状態で隣り合う前記容器の前記垂直面同士が隣接又は当接する請求項５に記載の容器群付パレットである。
【発明の効果】
【００１２】
［請求項１の発明］
請求項１のパレットでは、容器嵌合部に嵌合した容器がパレット側抜止係合部により抜け止めされるので、パレットが傾いたり衝撃を受けても容器が容器嵌合部から外れることがなくなり、複数の容器を安定して搬送することができる。また、フォークリフトにより複数の容器ごとパレットを反転させて、複数の容器内の収容物を一度に排出することもできる。
【００１３】
［請求項２の発明］
請求項２の容器群付パレットでは、容器嵌合部に抜け止めされて隣り合う容器同士が互いに隣接又は当接することで、容器が横方向から受ける負荷が分散され、パレット及び容器の嵌合部分の変形・破損が抑えられる。
【００１４】
［請求項３の発明］
請求項３の発明の構成によれば、容器嵌合部内に容器を抜け止めするために必要な操作が回転操作であって、その回転操作の方向と、容器を抜け止めする方向とが直交しているので、小さな操作力で大きな抜け止め力を得ることができる。また、容器が第２位置で回り止めされるので容器の抜け止めのための係合が安定する。
【００１５】
［請求項４の発明］
請求項４の容器群付パレットでは、隣り合う容器の垂直面同士が隣接又は当接しているか否かにより、それら容器が共に第２位置に配置されているか否か、即ち、容器が回り止めされ且つ抜け止めされた状態になっているか否かを容易に確認することができる。
【００１６】
［請求項５の発明］
請求項５の容器群付パレットでは、容器を容器嵌合部に押し込むことで、弾性変形部が弾性変形してから弾性復帰してパレット側抜止係合部と容器側抜止係合部とが係合して容器が抜け止めされるので、パレットに対する容器の組み付け作業を容易に行うことができる。
【００１７】
［請求項６の発明］
請求項６の容器群付パレットでは、回止突部と縦溝との係合により、容器が容器嵌合部に対する回転方向で位置決めされる。これにより、隣り合う容器の垂直面同士を確実に隣接又は当接させることができると共に、パレット側抜止係合部と容器側抜止係合部との係合部分に対する負荷が軽減され、容器の抜け止めが安定する。
【図面の簡単な説明】
【００１８】
【図１】本発明の第１実施形態の容器群付パレットの斜視図
【図２】容器を１つだけ搭載したパレットの斜視図
【図３】容器群付パレットの一部破断斜視図
【図４】容器嵌合部の斜視図
【図５】パレットの一部破断斜視図
【図６】容器の斜視図
【図７】容器の一部破断斜視図
【図８】容器群付パレットの一部破断斜視図
【図９】第２実施形態の容器の斜視図
【図１０】容器の一部破断斜視図
【図１１】容器を１つだけ搭載したパレットの斜視図
【図１２】容器嵌合部の斜視図
【図１３】容器群付パレットの一部破断斜視図
【図１４】容器群付パレットの一部破断斜視図
【発明を実施するための形態】
【００１９】
［第１実施形態］
以下、本発明の一実施形態を図１〜図８に基づいて説明する。図１には、本発明に係る容器群付パレット１０が示されている。容器群付パレット１０は、パレット１１と複数の容器３０からなる。先ずは、パレット１１について説明する。パレット１１は、平面形状が横長の長方形をなし、その１対の長辺側の側面の間を１対のフォーク挿入孔１２，１２が貫通している。また、パレット１１は、同一形状の１対のパレット分割体１１Ａ，１１Ａを上下に重ねてなる。各パレット分割体１１Ａは、横長の長方形の主平板１４を有し、その主平板１４の裏面外縁部から側壁１５が突出し、側壁１５に包囲された部分の全体に内部補強壁１６を張り巡らせた構造をなしている。そして、図３に示すように１対のパレット分割体１１Ａ，１１Ａの側壁１５，１５の先端同士及び一部の内部補強壁１６，１６の先端同士が溶着されている。
【００２０】
パレット１１は、厚さ方向の両面の何れを上にしても同じように使用することができる。以下の説明では、パレット１１のうち上側に配置される面を「デッキ面１３」、その反対側を単に「下面１３Ｕ」ということとする。
【００２１】
図２に示すようにデッキ面１３には、複数の容器嵌合部１８が縦横に等間隔に並べて形成されている。各容器嵌合部１８は、デッキ面１３の一部を段付き状に陥没させた円環状の溝構造をなしている。容器嵌合部１８の構造については後に詳説する。
【００２２】
デッキ面１３の略全体には、複数の貫通孔２６が形成され、各容器嵌合部１８の円環状の溝より内側部分にも貫通孔２６は形成されている。また、デッキ面１３の横方向（長手方向）の両側縁部には、１対ずつのグロメット２８が縦方向に並べて設けられている。グロメット２８は、円柱状のゴム部材であって、図３に示すように主平板１４から内側に突出した円筒壁２８Ｗの内部に嵌合固定されて、デッキ面１３より僅かに外側に突出している。また、各フォーク挿入孔１２の上側及び下側の内面の長手方向の２箇所にも同様の構造のグロメット２８が設けられている（図４参照）。
【００２３】
以下、容器嵌合部１８の構造について詳説する。図４に示すように、容器嵌合部１８は、前述の通り円環状の溝構造をなし、その外縁部と内縁部とに、主平板１４から内側に突出した同心円筒状の外側及び内側の円筒壁１９，２０を備えている。また、それら円筒壁１９，２０の下端部間には円環状の底壁２１が張られている。
【００２４】
容器嵌合部１８の底壁２１には、周方向で４等分する位置には底面孔２２が形成されている。底面孔２２は、略扇形状をなして容器嵌合部１８の径方向に延びる１対の直線状の開口縁を有する。そして、底面孔２２のうち容器嵌合部１８を上方から見て時計回り方向の後側の開口縁から支持壁２３が起立している。支持壁２３の上端部は、容器嵌合部１８の深さ方向の中間に位置し、その支持壁２３の上端部から時計回り方向に底面孔２２に対応する扇形の係合片２４が水平に張り出している。また、支持壁２３及び係合片２４は、外側の円筒壁１９に接続される一方、内側の円筒壁２０との間に隙間を有している。そして、これら支持壁２３と係合片２４とから本発明に係るパレット側抜止係合部２７が構成され、デッキ面１３全体で見ると、図２に示すように、複数の容器嵌合部１８のパレット側抜止係合部２７が、デッキ面１３の縦方向と横方向とに列をなして並んでいる。
【００２５】
図５に示すように、係合片２４のうち底面孔２２側を向いた面の先端縁は、所謂、Ｒ面取りされた円弧状のガイド面２４Ｇになっている。また、係合片２４の底面孔２２側を向いた面のうち係合片２４の先端縁と基端縁との間の略中央には、容器嵌合部１８の径方向に延びる係合溝２５が形成されている。そして、係合溝２５のうちガイド面２４Ｇ側の一方の内側面が上下方向と平行な係止面２５Ａをなし、他方の内側面が係合溝２５の溝底面２５Ｃから離れるに従って係止面２５Ａから離れるように傾斜した傾斜面２５Ｂになっている。
【００２６】
次に、容器３０について説明する。図６（Ａ）に示すように、容器３０は、下方に向かって僅かに縮径したテーパー状の側壁３１の下端部に底壁３２を備え、上面が開放した形状をなしている。また、側壁３１の上端と上端寄り位置からは、１対のフランジ３３，３３が側方に張り出している。それらフランジ３３，３３は同じ外径をなし、周方向で８等分する位置に、第１縦リブ３４Ａと第２縦リブ３４Ｂとを交互に並べて備えている。
【００２７】
第２縦リブ３４Ｂは、１対のフランジ３３，３３の間を連絡する長さをなし、第１縦リブ３４Ａは、第２縦リブ３４Ｂを下側のフランジ３３の下方まで延長してなり、第２縦リブ３４Ｂの略３倍の長さをなしている。また、第１及び第２縦のリブ３４Ａ，３４Ｂの先端面は、容器３０の中心軸と平行でかつ、フランジ３３，３３の先端面と面一になっている。なお、本実施形態では、第１縦リブ３４Ａが本発明に係る「側面突部」に相当し、その第１縦リブ３４Ａの先端面が、本発明に係る垂直面３４Ｃになっている。
【００２８】
底壁３２は、側壁３１の下端部より上方にずれた位置に配置されている。また、図６（Ｂ）に示すように、底壁３２の中心部には、水抜孔３２Ａが形成されている。
【００２９】
底壁３２の下面には、側壁３１の下端部と同心で小径の円筒リブ３５が備えられ、それら円筒リブ３５の下面と側壁３１の下面とが面一になっている。また、側壁３１のうち底壁３２より下側部分には、周方向を４等分する位置を切除して側面開口３１Ａが形成されている。そして、側壁３１における側面開口３１Ａの両側の開口縁と円筒リブ３５との間が底壁３２の径方向に延びる１対の連絡リブ３６，３６によって連絡されて、それら連絡リブ３６，３６に間に下面凹部３９が形成されている。
【００３０】
容器３０を下方から見て、底壁３２を中心とする時計回り方向において、各下面凹部３９の後側の連絡リブ３６の下縁部からは係合片３７が下面凹部３９側に水平に張り出している。係合片３７は、下面凹部３９の下面側の開口の半分より僅かに小さい扇状をなしている。また、係合片３７の一側部は円筒リブ３５に接続され、係合片３７の外側面は側壁３１の外面と面一になっている。そして、互いに接続された係合片３７と連絡リブ３６とから本発明に係る容器側抜止係合部４０が構成され、各容器側抜止係合部４０が第１縦リブ３４Ａの下方に位置している。
【００３１】
なお、係合片３７の下面には、外縁部より内側を陥没させて下面凹部３７Ｃが形成されている。換言すれば、係合片３７の下面の外縁部が肉厚になって補強されている。また、係合片３７の下面の外縁部及び連絡リブ３６の下面は、側壁３１及び円筒リブ３５の下面と面一になっている。
【００３２】
図７に示すように、係合片３７の上側の先端縁は、所謂、Ｒ面取りされて円弧状のガイド面３７Ｇになっている。また、係合片３７の上面のうち先端縁と基端縁との間の略中央には、底壁３２の径方向に延びる係合突起３８が形成されている。係合突起３８のうちガイド面３７Ｇと反対側の側面は、上下方向と平行な係止面３８Ａになっている。また、係合突起３８のうちガイド面３７Ｇ側の側面は、上方に向かってガイド面３７Ｇから離れるように傾斜した傾斜面３８Ｂになっている。さらに、係止面３８Ａ及び傾斜面３８Ｂの上端の間は水平面３８Ｃになっている。なお、本実施形態では、係合溝２５及び係合突起３８を有す得る係合片２７，３７が本発明に係る「回止係止部」に相当する。
【００３３】
本実施形態の容器群付パレット１０の構成に関する説明は以上である。次に、容器群付パレット１０を植物の栽培に使用する場合を例に挙げてその作用効果について説明する。
【００３４】
パレット１１から外した状態の容器３０を鉢として使用し、苗木を複数の容器３０に鉢植えする。そして、容器３０をパレット１１の端部の容器嵌合部１８から順番に取り付けていく。なお、鉢植えは、容器３０をパレット１１に取り付けてから行ってもよい。
【００３５】
容器３０をパレット１１に取り付けるには、容器嵌合部１８のパレット側抜止係合部２７に、容器３０の下面凹部３９の下面開口を対向させる。その際、容器３０を側方から見て、側面開口３１Ａとパレット側抜止係合部２７とを合わせてもよい。また、容器３０の外周の４つの第１縦リブ３４Ａが、パレット１１の縦横の両方向に向いた位置から時計回り方向に僅かにずらした回転位置を目安にして、パレット側抜止係合部２７に下面凹部３９の下面開口を対向させてもよい。
【００３６】
次いで、容器３０の側面開口３１Ａが容器嵌合部１８内に隠れる位置まで容器３０を容器嵌合部１８に押し込む。すると、パレット側抜止係合部２７が下面凹部３９に突入し、容器３０の側壁３１及び円筒リブ３５の下面が底壁２１に当接した状態になる。なお、容器３０を押し込めない場合には、容器３０を一方と他方とに適宜回転させれば、パレット側抜止係合部２７が下面凹部３９の下面開口に対向して、容器３０を押し込むことができる。
【００３７】
容器３０を容器嵌合部１８に押し込んだら反時計回り方向に回転させる。すると、パレット側抜止係合部２７の係合片２４の下方に容器側抜止係合部４０の係合片３７が潜り込み、係合突起３８の傾斜面３８Ｂ（図７参照）に係合片２４のガイド面２４Ｇ（図５参照）が当接する。さらに容器３０を反時計回り方向に回転させると、ガイド面２４Ｇと傾斜面３８Ｂとが摺接して係合片２４が係合突起３８に乗り上がって係合片２４，３７が互いに離れる側に弾性変形する。さらに、容器３０を反時計回り方向に回転させると、係合片２４，３７が弾性復帰して係合溝２５と係合突起３８とが凹凸係合する。以上により、容器３０の容器嵌合部１８に対する取り付けが完了する。そして、図１に示すように、複数の容器３０がパレット１１の複数の容器嵌合部１８に取り付けれて容器群付パレット１０になる。この状態で、図３に示すように、各容器３０は、係合片２４，３７同士の上下方向における係合によって容器嵌合部１８に抜け止めされかつ、係合溝２５と係合突起３８との係合により回り止めされる。また、図１に示すように、各容器３０の４つの第１縦リブ３４Ａは、パレット１１の縦方向と横方向を向き、図８に示すように、隣り合った容器３０，３０同士の間で第１縦リブ３４Ａ，３４Ａの垂直面３４Ｃ，３４Ｃ同士が当接又は隣接した状態になる。
【００３８】
容器群付パレット１０は、容器３０に植えられた植物に育成状況に応じて移動される場合がある。そのような場合、フォークリフトのフォークをフォーク挿入孔１２，１２に挿入して容器群付パレット１０を持ち上げて搬送することができる。その際、フォークリフトが段差を通過して衝撃を受けても、各容器３０は容器嵌合部１８に抜け止めされているので容器３０が外れて落下するようなことはない。また、容器嵌合部１８に抜け止めされて隣り合う容器３０，３０同士が互いに隣接又は当接することで、容器３０が横方向から受ける負荷が分散され、パレット１１及び容器３０の嵌合部分及び係合部分の変形・破損が抑えられる。
【００３９】
フォークを横回転させることが可能なフォークリフトを使用すれば、容器３０の植物の収穫が終了し、容器３０から不要物を排出する場合、複数の容器３０ごとパレット１１を反転させて複数の容器３０内の収容物を一度に排出することができる。
【００４０】
なお、容器３０を空にした容器群付パレット１０を段積みにすると、下段側の容器群付パレット１０の容器３０，３０のフランジ３３が、上端側の容器群付パレット１０の下面１３Ｕにおけるグロメット２８に当接して滑り止めが図られ、容器群付パレット１０の段積み状態が安定する。また、容器３０の底壁３２には水抜孔３２Ａが穿孔され、パレット１１にも水抜孔３２Ａに対応する貫通孔２６が形成されているので、植物の育成中や容器群付パレット１０を再利用のために洗浄した際に、容器３０からスムーズに水を排水することができる。
【００４１】
上記したように本実施形態の容器群付パレット１０では、容器嵌合部１８に嵌合した容器３０がパレット側抜止係合部２７と容器側抜止係合部４０との係合により抜け止めされるので、パレット１１が傾いたり衝撃を受けても容器３０が容器嵌合部１８から外れることがなくなり、複数の容器３０を安定して搬送することができる。また、フォークリフトにより複数の容器３０ごとパレット１１を反転させて、複数の容器３０内の収容物を一度に排出することもできる。さらには、容器嵌合部１８に抜け止めされて隣り合う容器３０，３０の垂直面３４Ｃ，３４Ｃ同士が互いに隣接又は当接することで、容器３０が横方向から受ける負荷が分散され、パレット１１及び容器３０の嵌合部分の変形・破損が抑えられる。
【００４２】
また、本実施形態の容器群付パレット１０では、容器嵌合部１８内に容器３０を抜け止めするために必要な操作が回転操作であって、その回転操作の方向と、容器３０を抜け止めする方向とが直交しているので、小さな操作力で大きな抜け止め力を得ることができる。さらに、係合溝２５と係合突起３８との係合により容器３０が第２位置で回り止めされることで抜け止めのための係合が安定する。その上、隣り合う容器３０の垂直面３４Ｃ，３４Ｃ同士が隣接又は当接しているか否かにより、それら容器３０が共に第２位置に配置されているか否か、即ち、容器３０が回り止めされ且つ抜け止めされた状態になっているか否かを容易に確認することができる。
【００４３】
［第２実施形態］
以下、本実施形態は、図９〜図１４に示されている。以下、第１実施形態と異なる構成に関してのみ説明する。
【００４４】
図９（Ａ）に示すように、本実施形態の容器３０Ｖの１対のフランジ３３，３３の間には、周方向を１６等分する位置に縦リブ４６が備えられ、１つおきの縦リブ４６の下方に側面突条４２が備えられている。各側面突条４２は、下側のフランジ３３から側壁３１の下端まで真っ直ぐ延び、その断面は四角形になっている。
【００４５】
なお、本実施形態では、側面突条４２が、本発明に係る「回止突部」に相当する。また、縦リブ４６が本発明に係る「側面突部」に相当し、その縦リブ４６の先端面が、本発明に係る垂直面４６Ａになっている。
【００４６】
図９（Ｂ）に示すように、容器３０Ｖのうち側壁３１の底壁３２より下側部分には、側面突条４２，４２に挟まれた各領域には、第１係合片４３と第２係合片４４とが交互に１つずつ備えられている。第１係合片４３は、側壁３１に角Ｕ字形のスリット４３Ｓを形成して、側壁３１の一部を底壁３２から側壁３１の下端寄り位置まで延びる突片形状に切り離し、その突片の先端部に係止突起４５を備えた構造をなしている。一方、第２係合片４４は、側壁３１の下端から下端寄り位置まで平行に延びる１対のスリット４４Ｓ，４４Ｓを形成して、側壁３１の一部を側壁３１の下端寄り位置から下端まで延びる突片形状に切り離し、その突片の先端部に係止突起４５を備えた構造をなしている。また、図１０に示すように、第１及び第２の係合片４３，４４の各係止突起４５は、断面三角形をなして横方向に延び、斜め下方を向いた傾斜面４５Ｂと上方を向いた係止面４５Ａとを備えている。なお、本実施形態では、第１及び第２の係合片４３，４４が、本発明に係る「容器側抜止係合部」及び「弾性変形部」に相当する。
【００４７】
図１１には、本実施形態のパレット１１Ｖが示されている。このパレット１１Ｖは、デッキ面１３全体が桟構造をなし、複数の容器嵌合部１８Ｖを縦横に等間隔に並べた状態にして備えている。図１２に示すように、容器嵌合部１８Ｖの外側の円筒壁１９には、容器３０Ｖの側面突条４２に対応した複数の縦溝５０が形成されている。各縦溝５０は、側面突条４２の断面形状に対応した四角形になっている。
【００４８】
また、容器嵌合部１８Ｖのうち縦溝５０，５０に挟まれた各領域には、第１係合片４３と第２係合片４４とに対応する第１係合孔５３と第２係合孔５４とが交互に１つずつ備えられている。第１係合孔５３は、外側の円筒壁１９の一部を上端寄り位置から下端に亘って切除してなる。一方、第２係合孔５４は、外側の円筒壁１９の一部を上端から下端に亘って切除し、その下端寄り位置に両側縁間に係止バー５５を架け渡した構造をなしている。また、第２係合孔５４の上端部は、主平板１４側にも切れ込んでいる。さらに、底壁２１には、第１及び第２の係合孔５３，５４に連続する底面孔５６が形成されている。
【００４９】
なお、本実施形態では、第１及び第２の係合孔５３，５４が、本発明に係る「パレット側抜止係合部」に相当する。
【００５０】
本実施形態の容器群付パレット１０Ｖの構成に関する説明は以上である。次に、本実施形態の作用効果について説明する。容器３０Ｖをパレット１１Ｖに取り付けるには、例えば、容器３０Ｖの第２係合片４４（図９（Ｂ）参照）を容器嵌合部１８Ｖの第２係合孔５４（図１２参照）に合わせる。すると、これに伴い、第１係合片４３が第１係合孔５３に合わされ、側面突条４２が縦溝５０の合わされる。そして、容器３０Ｖを容器嵌合部１８Ｖに挿入すると、容器３０Ｖの下端が容器嵌合部１８Ｖの途中位置に達したところで、第１係合片４３の係止突起４５が第１係合孔５３の上縁部分に当接すると共に、第２係合片４４の係止突起４５が第２係合孔５４の係止バー５５に当接する。そこで、容器３０Ｖを容器嵌合部１８Ｖに向けて強く押し込むと、係止突起４５の傾斜面４５Ｂと係止バー５５及び第１係合孔５３の上縁部分に摺接して第１及び第２の係合片４３，４４が弾性変形し、容器３０Ｖの下端が容器嵌合部１８Ｖの底壁２１に到達したところで、第１及び第２の係合片４３，４４が共に弾性復帰する。これにより、図１３に示すように、第１係合片４３の係止突起４５の係止面４５Ａが第１係合孔５３の上縁部に下方から対向すると共に、第２係合片４４の係止突起４５の係止面４５Ａが第２係合孔５４の係止バー５５に下方から対向して、容器３０Ｖが容器嵌合部１８Ｖに抜け止めされる。
【００５１】
以上により、容器３０Ｖの取り付けが完了する。そして、複数の容器３０Ｖがパレット１１Ｖの複数の容器嵌合部１８Ｖに取り付けれて容器群付パレット１０になる。すると、図１４に示すように、各容器３０Ｖの縦リブ４６が隣り合った容器３０Ｖ，３０Ｖ同士の間で第１縦リブ３４Ａ，３４Ａの垂直面３４Ｃ，３４Ｃ同士が当接又は隣接した状態になる。
【００５２】
このように本実施形態の容器群付パレット１０Ｖでは、容器３０Ｖを容器嵌合部１８Ｖに押し込むことで、第１及び第２の係合片４３，４４の弾性変形を乗り越えてそれら第１及び第２の係合片４３，４４と第１及び第２の係合孔５３，５４とが係合して容器３０Ｖが抜け止めされるので、パレット１１に対する容器３０Ｖの組み付け作業を容易に行うことができる。また、容器３０Ｖの側縁突部４２と容器嵌合部１８Ｖの縦溝５０との係合により、容器３０Ｖが容器嵌合部１８Ｖに対する回転方向で位置決めされる。これにより、隣り合う容器３０Ｖ，３０Ｖの間で、縦リブ４６，４６の垂直面４６Ａ，４６Ａ同士を確実に隣接又は当接させることができると共に、第１及び第２の係合片４３，４４と第１及び第２の係合孔５３，５４との係合部分に対する負荷が軽減され、容器３０Ｖの抜け止めが安定する。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５４】
（１）前記第２実施形態の変形例として、容器を直方体形状とし、それに合わせて容器嵌合部１８Ｖを四角形にしてもよい。
【００５５】
（２）第１及び第２の実施形態の容器３０，３０Ｖには蓋がついていなかったが、蓋付きの容器を使用してもよい。
【００５６】
（３）前記第１実施形態では、パレット１１の複数の容器嵌合部１８の全てに容器３０を取り付けて容器群付パレット１０として使用した例を示したが、パレット１１の複数の容器嵌合部１８の一部複数に容器３０を取り付けて容器群付パレット１０として使用してもよい。
【００５７】
（４）本発明の技術的範囲には含まれないが、例えばパレット１１の縦方向（横方向でも可）に延びかつ縦方向に並ぶ複数の容器嵌合部１８を貫通する連通孔を設けておくと共に、その連通孔に対応する連通孔を容器３０の下端部にも設けておき、パレットの連通孔に挿通させた棒部材が閂状に容器３０の下端部も貫通して抜け止めする構成も考えられる。そのような構成にすれば、パレット１１に対する容器３０の取り外しを容易に行うことができる。
【符号の説明】
【００５８】
１０，１０Ｖ    容器群付パレット
１１    パレット
１１Ｖ    パレット
１３    デッキ面
１８，１８Ｖ    容器嵌合部
２４，３７    係合片
２７    パレット側抜止係合部（回止係止部）
３０，３０Ｖ    容器
４０    容器側抜止係合部（回止係止部）
４２    側面突条（回止突部）
４３    第１係合片（容器側抜止係合部）
４４    第２係合片（容器側抜止係合部）
４６    縦リブ（側面突部）
５０    縦溝
５３    第１係合孔（パレット側抜止係合部）
５４    第２係合孔（パレット側抜止係合部）
【図１】
2018154339.tif 000003
【図２】
2018154339.tif 000004
【図３】
2018154339.tif 000005
【図４】
2018154339.tif 000006
【図５】
2018154339.tif 000007
【図６】
2018154339.tif 000008
【図７】
2018154339.tif 000009
【図８】
2018154339.tif 000010
【図９】
2018154339.tif 000011
【図１０】
2018154339.tif 000012
【図１１】
2018154339.tif 000013
【図１２】
2018154339.tif 000014
【図１３】
2018154339.tif 000015
【図１４】
2018154339.tif 000016